【手続補正書】
【提出日】平成20年1月15日(2008.1.15)
【手続補正１】
【補正対象書類名】特許請求の範囲
【補正対象項目名】全文
【補正方法】変更
【補正の内容】
【特許請求の範囲】
【請求項１】
ネットワークを介して他装置と接続されることによって画像処理システムを構成する画像処理装置であって、
外部記憶媒体を着脱可能な外部記憶装填手段と、
文書データを構造化記述言語で記述し、該文書データに関連付けられた画像データの格納位置が当該画像処理装置内である旨を示す構造化データを生成する構造化データ生成手段と、
前記外部記憶装填手段に装着された外部記憶媒体に対して、前記構造化データを転送する構造化データ転送手段と、
を有することを特徴とする画像処理装置。
【請求項２】
前記構造化データは、前記画像データの格納位置を示す情報として、前記画像処理システム上における当該画像処理装置のアドレス情報を含むことを特徴とする請求項１記載の画像処理装置。
【請求項３】
さらに、
前記外部記憶装填手段に装着された外部記憶媒体に対して、前記構造化データに関連付けられた画像データを転送する画像データ転送手段と、
前記構造化データにおいて、前記画像データ転送手段で転送された画像データの格納位置を前記外部記憶媒体内を示すように更新する構造化データ更新手段と、を有し、
前記構造化データ転送手段は、前記画像データ転送手段による転送が行われた場合に、前記構造化データ更新手段によって更新された構造化データを前記外部記憶媒体に転送することを特徴とする請求項２記載の画像処理装置。
【請求項４】
前記画像データ転送手段は、ビットマップデータを転送することを特徴とする請求項３記載の画像処理装置。
【請求項５】
さらに、前記外部記憶媒体に対する転送データ量の制限値を設定する転送データ量設定手段を有し、
前記画像データ転送手段は、前記外部記憶媒体に対する転送データ量が前記制限値内である場合に前記画像データを転送し、
前記構造化データ転送手段は、前記外部記憶媒体に対する転送データ量が前記制限値を超えた場合に前記構造化データ更新手段で更新された構造化データを転送することを特徴とする請求項３記載の画像処理装置。
【請求項６】
さらに、前記構造化データに関連付けられた複数の画像データのそれぞれに対して前記外部記憶媒体へ転送する際の順番を設定する転送順設定手段を有し、
前記画像データ転送手段は、前記外部記憶媒体に対する転送データ量が前記制限値内である場合に前記画像データを前記転送順設定手段で設定された順番で転送することを特徴とする請求項５記載の画像処理装置。
【請求項７】
さらに、前記外部記憶媒体に対する転送データ量の制限値を設定する転送データ量設定手段と、
前記構造化データをビットマップデータに展開するビットマップ展開手段と、
前記ビットマップデータのデータ量が前記制限値内である場合に前記外部記憶媒体に対して前記ビットマップデータを転送するビットマップ転送手段と、を有し、
前記構造化データ転送手段は、前記ビットマップデータのデータ量が前記制限値を超える場合に前記構造化データを転送することを特徴とする請求項１記載の画像処理装置。
【請求項８】
前記転送データ量設定手段は、ユーザ指示に基づいて前記制限値を設定することを特徴とする請求項５乃至７のいずれか一項に記載の画像処理装置。
【請求項９】
前記転送データ量設定手段は、前記外部記憶装填手段に装着された外部記憶媒体の空き容量に基づいて前記制限値を設定することを特徴とする請求項５乃至７のいずれか一項に記載の画像処理装置。
【請求項１０】
前記構造化記述言語はXMLであることを特徴とする請求項１乃至９のいずれか一項に記載の画像処理装置。
【請求項１１】
ネットワークを介して他装置と接続されることによって画像処理システムを構成し、外部記憶媒体を着脱可能な画像処理装置における画像処理方法であって、
当該画像処理装置に装着された外部記憶媒体に対する転送データ量の制限値を設定する転送データ量設定ステップと、
文書データを構造化記述言語で記述し、該文書データに関連付けられた画像データの格納位置が当該画像処理装置内である旨を示す構造化データを生成する構造化データ生成ステップと、
前記外部記憶媒体に対して、転送データ量が前記制限値内であるうちは前記構造化データに関連付けられた画像データを転送する画像データ転送ステップと、
前記外部記憶媒体に対する転送データ量が前記制限値を超えると、前記構造化データにおいて、前記画像データ転送ステップで転送された画像データの格納位置を前記外部記憶媒体内を示すように更新する構造化データ更新ステップと、
前記外部記憶媒体に対して、前記構造化データ更新ステップにおいて更新された構造化データを転送する構造化データ転送ステップと、
を有することを特徴とする画像処理方法。
【請求項１２】
ネットワークを介して他装置と接続されることによって画像処理システムを構成し、外部記憶媒体を着脱可能な画像処理装置における画像処理方法であって、
当該画像処理装置に装着された外部記憶媒体に対する転送データ量の制限値を設定する転送データ量設定ステップと、
文書データを構造化記述言語で記述し、該文書データに関連付けられた画像データの格納位置が当該画像処理装置内である旨を示す構造化データを生成する構造化データ生成ステップと、
前記構造化データをビットマップデータに展開した際のデータ量を前記制限値と比較するデータ量比較ステップと、
前記データ量比較ステップにおいて、前記ビットマップデータ量が前記制限値以下である場合に、前記構造化データをビットマップデータに展開して前記外部記憶媒体に対して転送するビットマップ転送ステップと、
前記データ量比較ステップにおいて、前記ビットマップデータ量が前記制限値を超える場合に、前記構造化データを前記外部記憶媒体に対して転送する構造化データ転送ステップと、
を有することを特徴とする画像処理方法。
【請求項１３】
前記構造化データ生成ステップにおいては、前記画像データの格納位置を示す情報として、前記画像処理システム上における当該画像処理装置のアドレス情報を含むように前記構造化データを生成することを特徴とする請求項１１または１２記載の画像処理方法。
【請求項１４】
外部記憶媒体を着脱可能な第1および第2の画像処理装置がネットワークを介して接続された画像処理システムであって、
該第1の画像処理装置は、
文書データを構造化記述言語で記述し、該文書データに関連付けられた画像データの格納位置が該第1の画像処理装置内である旨を示す構造化データを生成する構造化データ生成手段と、
装着された外部記憶媒体に対して、前記構造化データを書き込む構造化データ出力手段と、を有し、
前記第2の画像処理装置は、
前記第1の画像処理装置において前記構造化データが書き込まれた外部記憶媒体から該構造化データを読み取る構造化データ入力手段と、
前記構造化データに関連付けられた画像データを、その格納位置情報に応じて前記第1の画像処理装置からネットワークを介して受信する画像データ受信手段と、を有する
ことを特徴とする画像処理システム。
【請求項１５】
外部記憶媒体を着脱可能な外部記憶装填手段を有するコンピュータで実行されるプログラムであって、コンピュータを、
文書データを構造化記述言語で記述し、該文書データに関連付けられた画像データの格納位置が当該画像処理装置内である旨を示す構造化データを生成する構造化データ生成手段、および、前記外部記憶装填手段に装着された外部記憶媒体に対して、前記構造化データを転送する構造化データ転送手段として機能させるためのプログラム。
【請求項１６】
画像を入力する入力手段と、外部記憶媒体を着脱可能な外部記憶装填手段とを有するコンピュータで実行されるプログラムであって、コンピュータを、
前記入力手段から入力された画像から画像データを抽出し、抽出された画像データの格納位置がデジタル複合機内である旨を示す構造化データを生成する構造化データ生成手段、および、前記外部記憶装填手段に装着された外部記憶媒体に対して、前記構造化データを転送する構造化データ転送手段として機能させるためのプログラム。
【請求項１７】
画像を入力する入力手段を有するデジタル複合機であって、
外部記憶媒体を着脱可能な外部記憶装填手段と、
前記入力手段から入力された画像から画像データを抽出し、抽出された画像データの格納位置がデジタル複合機内である旨を示す構造化データを生成する構造化データ生成手段と、
前記外部記憶装填手段に装着された外部記憶媒体に対して、前記構造化データを転送する構造化データ転送手段と、
を有することを特徴とするデジタル複合機。
【手続補正２】
【補正対象書類名】明細書
【補正対象項目名】発明の名称
【補正方法】変更
【補正の内容】
【発明の名称】画像処理装置およびその画像処理方法、画像処理システム、プログラム、並びに、デジタル複合機